(57)【要約】【課題】画像照合装置で、例えば登録・照合対象の指が利き指であることにより指紋画像に変化が生じた場合でも本人拒否などの誤判定を招かず、照合困難に陥るのを防止する。【解決手段】利き指である人差し指の指紋を第１登録指紋画像データＧr1として登録すると共に、薬指の指紋を第２登録指紋画像データＧr2として登録し、被照合人物の第１指（人差し指）の照合指紋画像データＧs1と合致判定された場合には、当該第１照合指紋画像Ｇr1を最新の第１登録指紋画像Ｇr1として登録更新する（ステップＢ１〜Ｂ４）。そして、第１指（人差し指）の登録指紋画像Ｇr1と照合指紋画像Ｇs1とが非合致判定された場合には、第２指（薬指）による登録指紋画像Ｇr2と照合指紋画像Ｇs2との照合処理を行い、この第２指（薬指）による照合で合致判定された場合に、前記第１照合指紋画像Ｇr1を経時変化した最新の第１登録指紋画像Ｇr1として登録更新する（ステップＢ５〜Ｂ１０）。【選択図】      図４
2005258555.tif 000002
【特許請求の範囲】
【請求項１】
登録画像と照合画像とを照合して両者の同一性を判定する画像照合装置であって、
登録対象人物の複数部分の画像を記憶する複数登録画像記憶手段と、
人物の部分画像を読み取る画像読み取り手段と、
前記複数登録画像記憶手段により記憶された複数部分の登録画像のうちの特定部分の登録画像と前記画像読み取り手段により読み取られた当該特定部分の照合画像との合致または非合致を判定する第１の照合判定手段と、
この第１の照合判定手段により前記複数登録画像記憶手段により記憶された特定部分の登録画像と前記画像読み取り手段により読み取られた特定部分の照合画像との非合致が判定された場合に、前記複数登録画像記憶手段により記憶された他の部分の登録画像と前記画像読み取り手段により読み取られた当該他の部分の照合画像との合致または非合致を判定する第２の照合判定手段と、
前記第１の照合判定手段により前記複数登録画像記憶手段により記憶された特定部分の登録画像と前記画像読み取り手段により読み取られた特定部分の照合画像との合致が判定された場合、または前記第２の照合判定手段により前記複数登録画像記憶手段により記憶された他の部分の登録画像と前記画像読み取り手段により読み取られた当該他の部分の照合画像との合致が判定された場合に、前記画像読み取り手段により読み取られた特定部分の照合画像を前記複数登録画像記憶手段により記憶された特定部分の登録画像として更新して記憶する特定部分登録画像更新記憶手段と、
を備えたことを特徴とする画像照合装置。
【請求項２】
さらに、
前記第２の照合判定手段により前記複数登録画像記憶手段により記憶された他の部分の登録画像と前記画像読み取り手段により読み取られた当該他の部分の照合画像との合致が判定された場合に、該他の部分の照合画像を前記複数登録画像記憶手段により記憶された該他の部分の登録画像として更新して記憶する他部分登録画像更新記憶手段を備えたことを特徴とする請求項１に記載の画像照合装置。
【請求項３】
前記照合判定手段による登録画像と照合画像との合致または非合致の判定は、当該登録画像に対して前記画像読み取り手段により読み取られた照合画像の読み取りずれが一定量以下である場合の登録画像と照合画像との類似度に基づいて判定することを特徴とする請求項１または請求項２に記載の画像照合装置。
【請求項４】
登録画像と照合画像とを照合して両者の同一性を判定する画像照合装置であって、
登録対象人物の特定部分の画像を記憶する第１登録画像記憶手段と、
人物の部分画像を読み取る画像読み取り手段と、
前記第１登録画像記憶手段により記憶された特定部分の登録画像と前記画像読み取り手段により読み取られた当該特定部分の照合画像との類似度に基づき合致または非合致を判定する第１の照合判定手段と、
この第１の照合判定手段により前記第１登録画像記憶手段により記憶された特定部分の登録画像と前記画像読み取り手段により読み取られた特定部分の照合画像との合致が判定されその合致判定の類似度が所定値以上である場合に、当該特定部分の照合画像を前記第１登録画像記憶手段により記憶された特定部分の登録画像として更新して記憶する第１登録画像更新記憶手段と、
前記第１の照合判定手段により前記第１登録画像記憶手段により記憶された特定部分の登録画像と前記画像読み取り手段により読み取られた特定部分の照合画像との合致が判定されその合致判定の類似度が所定値未満である場合に、当該特定部分の照合画像を第２の登録画像として記憶する第２登録画像記憶手段と、
前記第１の照合判定手段により前記第１登録画像記憶手段により記憶された特定部分の登録画像と前記画像読み取り手段により読み取られた特定部分の照合画像との非合致が判定された場合に、前記第２登録画像記憶手段により記憶された特定部分の第２登録画像と当該特定部分の照合画像との合致または非合致を判定する第２の照合判定手段と、
を備えたことを特徴とする画像照合装置。
【請求項５】
登録画像と照合画像とを照合して両者の同一性を判定する画像照合装置のコンピュータを制御するための画像照合処理プログラムであって、
前記コンピュータを、
登録対象人物の複数部分の画像を記憶する複数登録画像記憶手段、
人物の部分画像を読み取る画像読み取り手段、
前記複数登録画像記憶手段により記憶された複数部分の登録画像のうちの特定部分の登録画像と前記画像読み取り手段により読み取られた当該特定部分の照合画像との合致または非合致を判定する第１の照合判定手段、
この第１の照合判定手段により前記複数登録画像記憶手段により記憶された特定部分の登録画像と前記画像読み取り手段により読み取られた特定部分の照合画像との非合致が判定された場合に、前記複数登録画像記憶手段により記憶された他の部分の登録画像と前記画像読み取り手段により読み取られた当該他の部分の照合画像との合致または非合致を判定する第２の照合判定手段、
前記第１の照合判定手段により前記複数登録画像記憶手段により記憶された特定部分の登録画像と前記画像読み取り手段により読み取られた特定部分の照合画像との合致が判定された場合、または前記第２の照合判定手段により前記複数登録画像記憶手段により記憶された他の部分の登録画像と前記画像読み取り手段により読み取られた当該他の部分の照合画像との合致が判定された場合に、前記画像読み取り手段により読み取られた特定部分の照合画像を前記複数登録画像記憶手段により記憶された特定部分の登録画像として更新して記憶する特定部分登録画像更新記憶手段、
として機能させるようにしたコンピュータ読み込み可能な画像照合処理プログラム。
【請求項６】
登録画像と照合画像とを照合して両者の同一性を判定する画像照合装置のコンピュータを制御するための画像照合処理プログラムであって、
前記コンピュータを、
登録対象人物の特定部分の画像を記憶する第１登録画像記憶手段、
人物の部分画像を読み取る画像読み取り手段、
前記第１登録画像記憶手段により記憶された特定部分の登録画像と前記画像読み取り手段により読み取られた当該特定部分の照合画像との類似度に基づき合致または非合致を判定する第１の照合判定手段、
この第１の照合判定手段により前記第１登録画像記憶手段により記憶された特定部分の登録画像と前記画像読み取り手段により読み取られた特定部分の照合画像との合致が判定されその合致判定の類似度が所定値以上である場合に、当該特定部分の照合画像を前記第１登録画像記憶手段により記憶された特定部分の登録画像として更新して記憶する第１登録画像更新記憶手段、
前記第１の照合判定手段により前記第１登録画像記憶手段により記憶された特定部分の登録画像と前記画像読み取り手段により読み取られた特定部分の照合画像との合致が判定されその合致判定の類似度が所定値未満である場合に、当該特定部分の照合画像を第２の登録画像として記憶する第２登録画像記憶手段、
前記第１の照合判定手段により前記第１登録画像記憶手段により記憶された特定部分の登録画像と前記画像読み取り手段により読み取られた特定部分の照合画像との非合致が判定された場合に、前記第２登録画像記憶手段により記憶された特定部分の第２登録画像と当該特定部分の照合画像との合致または非合致を判定する第２の照合判定手段、
として機能させるようにしたコンピュータ読み込み可能な画像照合処理プログラム。
【請求項７】
登録画像と照合画像とを照合して両者の同一性を判定する画像照合方法であって、
登録対象人物の複数部分の画像を記憶する複数登録画像記憶ステップと、
人物の部分画像を読み取る画像読み取りステップと、
前記複数登録画像記憶ステップにて記憶された複数部分の登録画像のうちの特定部分の登録画像と前記画像読み取りステップにて読み取られた当該特定部分の照合画像との合致または非合致を判定する第１の照合判定ステップと、
この第１の照合判定ステップにおいて前記複数登録画像記憶ステップにて記憶された特定部分の登録画像と前記画像読み取りステップにて読み取られた特定部分の照合画像との非合致が判定された場合に、前記複数登録画像記憶ステップにて記憶された他の部分の登録画像と前記画像読み取りステップにて読み取られた当該他の部分の照合画像との合致または非合致を判定する第２の照合判定ステップと、
前記第１の照合判定ステップにおいて前記複数登録画像記憶ステップにて記憶された特定部分の登録画像と前記画像読み取り手段にて読み取られた特定部分の照合画像との合致が判定された場合、または前記第２の照合判定ステップにおいて前記複数登録画像記憶ステップにて記憶された他の部分の登録画像と前記画像読み取りステップにて読み取られた当該他の部分の照合画像との合致が判定された場合に、前記画像読み取りステップにて読み取られた特定部分の照合画像を前記複数登録画像記憶ステップにて記憶された特定部分の登録画像として更新して記憶する特定部分登録画像更新記憶ステップと、
からなることを特徴とする画像照合方法。
【請求項８】
登録画像と照合画像とを照合して両者の同一性を判定する画像照合方法であって、
登録対象人物の特定部分の画像を記憶する第１登録画像記憶ステップと、
人物の部分画像を読み取る画像読み取りステップと、
前記第１登録画像記憶ステップにて記憶された特定部分の登録画像と前記画像読み取りステップにて読み取られた当該特定部分の照合画像との類似度に基づき合致または非合致を判定する第１の照合判定ステップと、
この第１の照合判定ステップにおいて前記第１登録画像記憶ステップにて記憶された特定部分の登録画像と前記画像読み取りステップにて読み取られた特定部分の照合画像との合致が判定されその合致判定の類似度が所定値以上である場合に、当該特定部分の照合画像を前記第１登録画像記憶ステップにて記憶された特定部分の登録画像として更新して記憶する第１登録画像更新記憶ステップと、
前記第１の照合判定ステップにおいて前記第１登録画像記憶ステップにて記憶された特定部分の登録画像と前記画像読み取りステップにて読み取られた特定部分の照合画像との合致が判定されその合致判定の類似度が所定値未満である場合に、当該特定部分の照合画像を第２の登録画像として記憶する第２の登録画像記憶ステップと、
前記第１の照合判定ステップにおいて前記第１登録画像記憶ステップにて記憶された特定部分の登録画像と前記画像読み取りステップにて読み取られた特定部分の照合画像との非合致が判定された場合に、前記第２登録画像記憶ステップにて記憶された特定部分の第２登録画像と当該特定部分の照合画像との合致または非合致を判定する第２の照合判定ステップと、
からなることを特徴とする画像照合方法。
【発明の詳細な説明】
【技術分野】
【０００１】
本発明は、例えば指紋画像データの照合を行うための画像照合装置、および画像照合処理プログラム、画像照合方法に関する。
【背景技術】
【０００２】
近年、例えば重要施設への入退室管理システムや各種情報機器へのアクセス許可システムにおいて、指紋画像、虹彩画像、顔画像など、生体画像を基にして本人認証を行うシステムが広く導入されるようになっている。
【０００３】
このような本人認証システムにおいて、例えば指紋画像照合装置の場合には、まず、イメージセンサなどにより読み取られた正規人物の特定の指（例えば人差し指）の指紋画像を登録指紋画像として予め記憶しておく。そして、本人認証に際して同様に読み取られた対象人物の特定の指の指紋画像を照合指紋画像として、前記予め記憶された登録指紋画像との照合類似度を算出することで、登録指紋画像と照合指紋画像との同一性を判定し、登録者本人か否かの認証を行っている。
【０００４】
一方で、指紋について、当該指紋のパターンそのものは、一般に年齢を重ねても基本的には同一のパターンであるものの、例えば皮膚の老化や劣化、太ったり痩せたりするなどの体型の変化などによって、前記イメージセンサによって読み取った指紋画像には経時に応じて指紋パターンの山が潰れていくなどの変化が生じる。特に人差し指など利き指である場合には、指紋面の擦れが激しく変化が著しいこともある。
【０００５】
このため、前記登録指紋画像が当初登録されたままの指紋画像であると、経時変化の後、例え登録者本人の指紋を読み取った照合指紋画像であっても同一の指紋と判定されず照合困難になってしまう。
【０００６】
そこで、登録指紋画像に対して照合指紋画像が一致し、登録者本人の認証が得られた場合には、その照合一致の都度、そのときの照合指紋画像を新たな登録指紋画像として記憶更新させることで、経時変化による本人拒否などの誤判定を防止した指紋画像照合装置が考えられている（例えば、特許文献１参照。）。
【特許文献１】特開平１１−２５２６８号公報
【発明の開示】
【発明が解決しようとする課題】
【０００７】
しかしながら、前記登録指紋画像に対して照合指紋画像が照合一致する都度、そのときの照合指紋画像を新たな登録指紋画像として記憶更新させるようにした従来の指紋画像照合装置では、比較的頻繁に登録者本人による指紋照合が行われる状態では、その時々の照合指紋の経時変化が少なく、順調な指紋照合処理と登録指紋画像の更新処理が繰り返されるものの、登録者本人による指紋照合が頻繁に行われない場合には、その間に照合指紋の経時変化が大きくなり、登録指紋画像の更新が成される前に本人拒否などの誤判定を招き照合困難に陥る問題がある。
【０００８】
また、登録・照合対象の指が、季節や気温の変化、あるいは肌荒れや傷などによって一時期的に変化した場合に、これに合わせて前記登録指紋画像の更新処理が成されると、当該指の状態が元に戻った場合に、本人拒否などの誤判定を招き照合困難に陥る問題がある。
【０００９】
本発明は、前記のような問題に鑑みなされたもので、例えば登録・照合対象の指が利き指であることにより指紋画像に変化が生じた場合、あるいは外的要因によって一時期的に指紋画像に変化が生じまた復帰した場合などでも、本人拒否などの誤判定を招くことなく、照合困難に陥るのを防止することが可能になる画像照合装置、および画像照合処理プログラム、画像照合方法を提供することを目的とする。
【課題を解決するための手段】
【００１０】
本発明に係る第１の画像照合装置では、登録対象人物の複数部分の画像を記憶する複数登録画像記憶手段と、人物の部分画像を読み取る画像読み取り手段とを備え、まず第１の照合判定手段によって、前記複数登録画像記憶手段により記憶された複数部分の登録画像のうちの特定部分の登録画像と前記画像読み取り手段により読み取られた当該特定部分の照合画像との合致または非合致を判定し、非合致判定された場合には、第２の照合判定手段によって、前記複数登録画像記憶手段により記憶された他の部分の登録画像と前記画像読み取り手段により読み取られた当該他の部分の照合画像との合致または非合致を判定する。前記第１の照合判定手段により前記複数登録画像記憶手段により記憶された特定部分の登録画像と前記画像読み取り手段により読み取られた特定部分の照合画像との合致が判定された場合、または前記第２の照合判定手段により前記複数登録画像記憶手段により記憶された他の部分の登録画像と前記画像読み取り手段により読み取られた当該他の部分の照合画像との合致が判定された場合には、特定部分登録画像更新記憶手段によって、前記画像読み取り手段により読み取られた特定部分の照合画像を前記複数登録画像記憶手段により記憶された特定部分の登録画像として更新して記憶する。
【００１１】
これによれば、登録対象人物の特定部分の状態が高使用頻度であることなどにより経時変化が生じていても、この特定部分の登録画像とその時々の該特定部分の読み取り照合画像との合致判定が得られる毎に、当該読み取り照合画像を最新の登録画像として更新できるだけでなく、この特定部分の登録画像とその読み取り照合画像とが非合致判定された場合でも、低使用頻度であることなどにより経時変化の少ない他の部分の登録画像とその読み取り照合画像との合致判定によって本人拒否を防止でき、しかもこの他の部分での照合合致判定に応じて前記非合致判定された特定部分の読み取り照合画像を最新の登録画像として更新できることになる。
【００１２】
本発明に係る第２の画像照合装置では、登録対象人物の特定部分の画像を記憶する第１登録画像記憶手段と、人物の部分画像を読み取る画像読み取り手段とを備え、まず第１の照合判定手段によって、前記第１登録画像記憶手段により記憶された特定部分の登録画像と前記画像読み取り手段により読み取られた当該特定部分の照合画像との類似度に基づき合致または非合致を判定し、その合致判定の類似度が所定値以上である場合には、第１登録画像更新記憶手段によって、当該特定部分の照合画像を前記第１登録画像記憶手段により記憶された特定部分の登録画像として更新して記憶する。そして、前記第１の照合判定手段により前記第１登録画像記憶手段により記憶された特定部分の登録画像と前記画像読み取り手段により読み取られた特定部分の照合画像との合致が判定されてもその合致判定の類似度が所定値未満である場合には、第２登録画像記憶手段によって当該特定部分の照合画像を第２の登録画像として記憶する。そして、前記第１の照合判定手段により前記第１登録画像記憶手段により記憶された特定部分の登録画像と前記画像読み取り手段により読み取られた特定部分の照合画像との非合致が判定された場合には、第２の照合判定手段によって、前記第２登録画像記憶手段により記憶された特定部分の第２登録画像と当該特定部分の照合画像との合致または非合致を判定する。
【００１３】
これによれば、特定部分の第１登録画像とその読み取り照合画像との高類似度での合致判定が得られる毎に当該読み取り照合画像を最新の第１登録画像として更新できるだけでなく、特定部分の一時期的な変化などによりその読み取り照合画像の合致判定が得られても高類似度でない場合には、そのときの照合画像を前記特定部分の第２登録画像として記憶しておくことで、当該特定部分の一時期的な変化が継続している状態ではこの特定部分の第２登録画像とその読み取り照合画像との合致判定によって本人拒否を防止できる。しかも前記特定部分の一時期的な変化が元に戻ったときには、再び前記第１登録画像とその読み取り照合画像との合致判定によって本人拒否を防止できることになる。
【発明の効果】
【００１４】
本発明に係る第１の画像照合装置（画像照合処理プログラム）（画像照合方法）によれば、登録対象人物の特定部分の状態が高使用頻度であることなどにより経時変化が生じていても、この特定部分の登録画像とその時々の該特定部分の読み取り照合画像との合致判定が得られる毎に、当該読み取り照合画像を最新の登録画像として更新できるだけでなく、この特定部分の登録画像とその読み取り照合画像とが非合致判定された場合でも、低使用頻度であることなどにより経時変化の少ない他の部分の登録画像とその読み取り照合画像との合致判定によって本人拒否を防止でき、しかもこの他の部分での照合合致判定に応じて前記非合致判定された特定部分の読み取り照合画像を最新の登録画像として更新できるようになる。
【００１５】
本発明に係る第２の画像照合装置（画像照合処理プログラム）（画像照合方法）によれば、特定部分の第１登録画像とその読み取り照合画像との高類似度での合致判定が得られる毎に当該読み取り照合画像を最新の第１登録画像として更新できるだけでなく、特定部分の一時期的な変化などによりその読み取り照合画像の合致判定が得られても高類似度でない場合には、そのときの照合画像を前記特定部分の第２登録画像として記憶しておくことで、当該特定部分の一時期的な変化が継続している状態ではこの特定部分の第２登録画像とその読み取り照合画像との合致判定によって本人拒否を防止できる。しかも前記特定部分の一時期的な変化が元に戻ったときには、再び前記第１登録画像とその読み取り照合画像との合致判定によって本人拒否を防止できるようになる。
【００１６】
よって、本発明によれば、例えば登録・照合対象の指が利き指であることにより指紋画像に変化が生じた場合、あるいは外的要因によって一時期的に指紋画像に変化が生じまた復帰した場合などでも、本人拒否などの誤判定を招くことなく、照合困難に陥るのを防止することが可能になる画像照合装置、および画像照合処理プログラム、画像照合方法を提供できる。
【発明を実施するための最良の形態】
【００１７】
以下図面により本発明の実施の形態について説明する。
【００１８】
（第１実施形態）
図１は、本発明の画像照合装置の実施形態に係る指紋画像照合装置の電子回路の構成を示すブロック図である。
【００１９】
この指紋画像照合装置は、制御部（ＣＰＵ）１１、記憶装置１２、ＲＡＭ１３（２３）、イメージ読み取り装置１４、表示部１５、入力部１６、記憶媒体読み取り部１８、伝送制御部１９より構成され、バス１７を介して相互に接続されている。
【００２０】
制御部（ＣＰＵ）１１は、入力部１２からの入力信号に応じて、記憶装置１２に予め記憶されている制御プログラム、あるいはフロッピディスクＦＤなどの外部記憶媒体１８ａからフロッピディスクドライブＦＤＤなどの記憶媒体読み取り部１８を介して記憶装置１２に読み込まれた指紋照合処理プログラム、あるいは外部のコンピュータ端末（プログラムサーバ２１）の記憶装置２２から通信ネットワーク２０を経由し伝送制御部１９を介して記憶装置１２に読み込まれた指紋照合処理プログラムを起動させ、ＲＡＭ１３（２３）をワークメモリとして回路各部の動作を制御する。
【００２１】
記憶装置１２は、半導体メモリのＲＯＭやハードディスク装置ＨＤＤ等で構成し、本照合装置の電源投入直後に制御部（ＣＰＵ）１１により読み出される前述の制御プログラムを予め格納している他に、イメージ読み取り装置１４により読み取られた登録指紋画像（例えば高使用頻度である人差し指の第１登録指紋画像Ｇr1や低使用頻度である薬指の第２登録指紋画像Ｇr2）を格納している。
【００２２】
ＲＡＭ１３（２３）は、前述の制御プログラムを実行する際に制御部（ＣＰＵ）１１が使用するワークメモリである。
【００２３】
イメージ読み取り装置１４は、登録指紋画像Ｇr1，Ｇr2やこれに応じた照合指紋画像（例えば人差し指の第１照合指紋画像Ｇr1や薬指の第２照合指紋画像Ｇs2）を取得するための装置であり、例えば、イメージスキャナ装置やＣＣＤ（電荷結合素子）などのイメージセンサである。
【００２４】
表示部１５は、登録指紋画像（Ｇr1／Ｇr2）と照合指紋画像（Ｇs1／Ｇs2）との照合の判定結果を表示する、例えばＣＲＴや液晶などといったディスプレイ装置である。
【００２５】
入力部１６は、本照合装置の使用者が指紋画像の取得指示や後述の指紋照合処理の開始を制御部（ＣＰＵ）１１に指示するための、例えばキーボード装置などの入力装置である。
【００２６】
以降、本第１実施形態では、第１登録指紋画像Ｇr1を高使用頻度である人差し指、第２登録指紋画像Ｇr2を低使用頻度である薬指として説明する。
【００２７】
図２は、本発明の第１実施形態の指紋画像照合装置のＲＡＭ１３に確保されるデータメモリを示す図である。
【００２８】
ＲＡＭ１３には、読み取り画像メモリ１３ａ、第１登録画像メモリ１３ｂ、第１照合画像メモリ１３ｃ、第２登録画像メモリ１３ｄ、第２照合画像メモリ１３ｅ、照合類似度メモリ１３ｆ、照合結果メモリ１３ｇ、非合致回数メモリ１３ｈなどが確保される。
【００２９】
読み取り画像メモリ１３ａには、イメージ読み取り装置１４により読み取られた指紋の画像データが多階調画像として一時記憶される。
【００３０】
第１登録画像メモリ１３ｂには、前記記憶装置１２に格納登録すべきイメージ読み取り装置１４により読み取られた登録者本人の第１（人差し指）の指紋画像データＧr1が、指紋登録処理（図３参照）に伴う登録処理対象の第１の指紋画像として記憶保持される。
【００３１】
第１照合画像メモリ１３ｃには、イメージ読み取り装置１４により読み取られた照合すべき第１（人差し指）の指紋画像データＧs1が記憶される。
【００３２】
第２登録画像メモリ１３ｄには、前記記憶装置１２に格納登録すべきイメージ読み取り装置１４により読み取られた登録者本人の第２（薬指）の指紋画像データＧr2が、指紋登録処理（図３参照）に伴う登録処理対象の第２の指紋画像として記憶保持される。
【００３３】
第２照合画像メモリ１３ｅには、イメージ読み取り装置１４により読み取られた照合すべき第２（人差し指）の指紋画像データＧs2が記憶される。
【００３４】
照合類似度メモリ１３ｆには、前記登録指紋画像データ（Ｇr1／Ｇr2）と前記照合指紋画像データ（Ｇs1／Ｇs2）との各指紋照合処理（図４参照）に伴い算出された登録指紋画像に対する照合指紋画像の類似度が記憶される。
【００３５】
照合結果メモリ１３ｇには、前記照合類似度メモリ１３ｆに算出記憶された登録指紋画像データ（Ｇr1／Ｇr2）と照合指紋画像データ（Ｇs1／Ｇs2）との類似度に応じて評価判定される当該登録指紋画（Ｇr1／Ｇr2）と照合指紋画像（Ｇs1／Ｇs2）との合致／非合致の判定結果が記憶される。
【００３６】
非合致回数メモリ１３ｈには、前記登録指紋画像データ（Ｇr1／Ｇr2）と前記照合指紋画像データ（Ｇs1／Ｇs2）との各指紋照合処理（図４参照）に伴い非合致との判定結果が得られた回数ｎが計数されて記憶される。
【００３７】
この第１実施形態の指紋画像照合装置では、第１（人差し指）の登録指紋画像データＧr1と照合指紋画像データＧs1との照合を行って合致判定された場合には、当該第１照合指紋画像Ｇs1を第１登録指紋画像Ｇr1として記憶更新する。そして、この第１指（人差し指）の照合判定によって、例えばその人差し指の経時変化の影響により非合致判定された場合には、第２（薬指）の登録指紋画像データＧr2と照合指紋画像データＧs2との照合を行って合致判定された場合に、前記第１照合指紋画像Ｇs1を経時変化した第１登録指紋画像Ｇr1と判断して記憶更新する。
【００３８】
次に、前記構成による指紋画像照合装置における第１実施形態の指紋登録・照合機能についてより詳細に説明する。
【００３９】
（指紋登録処理）
図３は、本発明の第１実施形態の指紋画像照合装置により正規ユーザ本人の指紋画像を登録するための指紋登録処理を示すフローチャートである。
【００４０】
イメージ読み取り装置１４により正規ユーザ本人の第１（人差し指）の指紋画像が読み取られ、ＲＡＭ１３内の読み取り画像メモリ１３ａに記憶されると（ステップＡ１）、この第１（人差し指）の読み取り画像は第１登録画像メモリ１３ｂに対し第１登録指紋画像データＧr1として記憶される（ステップＡ２）。
【００４１】
続いて同様に、イメージ読み取り装置１４により正規ユーザ本人の第２（薬指）の指紋画像が読み取られ、ＲＡＭ１３内の読み取り画像メモリ１３ａに記憶されると（ステップＡ３）、この第２（薬指）の読み取り画像は第２登録画像メモリ１３ｄに対し第２登録指紋画像データＧr2として記憶される（ステップＡ４）。
【００４２】
（指紋照合処理）
図４は、本発明の第１実施形態の指紋画像照合装置による指紋照合処理を示すフローチャートである。
【００４３】
イメージ読み取り装置１４により被照合人物の第１（人差し指）の指紋画像が読み取られ、ＲＡＭ１３内の読み取り画像メモリ１３ａに記憶されると、この読み取り画像は第１照合画像メモリ１３ｃに対し第１照合指紋画像データＧs1として記憶される（ステップＢ１）。
【００４４】
すると、前記第１登録画像メモリ１３ｂに記憶された第１（人差し指）の登録指紋画像データＧr1と前記第１照合画像メモリ１３ｃに記憶された第１照合指紋画像データＧs1との類似度が算出されて照合判定処理が行われる（ステップＢ２）。
【００４５】
ここで、前記第１（人差し指）登録指紋画像Ｇr1と第１照合指紋画像Ｇs1との類似度が予め設定された閾値以上となり登録者本人の第１（人差し指）指紋として照合合致判定された場合には（ステップＢ３）、当該第１照合指紋画像データＧs1が最新の第１登録指紋画像データＧr1として記憶更新される（ステップＢ４）。
【００４６】
一方、例えば前回指紋照合を行ったときから今回指紋照合を行うまでの期間が長く、登録者本人の第１指（人差し指）の経時変化が大きい影響で、前記第１登録指紋画像Ｇr1と今回読み取った第１照合指紋画像Ｇs1との類似度が予め設定された閾値未満となり、非合致判定された場合には（ステップＢ３(No)）、この第１登録指紋画像データＧr1に対する第１照合指紋画像データＧs1との照合に伴う非合致判定の回数ｎがカウントされ、ＲＡＭ１３内の非合致回数メモリ１３ｈに記憶されると共に（ステップＢ５）、この第１指（人差し指）による非合致判定回数ｎが予め設定された非合致回数ｎ1に到達したか否か判断される（ステップＢ６）。
【００４７】
ここで、前記第１指（人差し指）による非合致判定回数ｎが予め設定された非合致回数ｎ1（例えば３回）に到達したと判断された場合には、次に、イメージ読み取り装置１４により被照合人物の第２（薬指）の指紋画像が読み取られてＲＡＭ１３内の読み取り画像メモリ１３ａに記憶され、この読み取り画像は第２照合画像メモリ１３ｅに対し第２照合指紋画像データＧs2として記憶される（ステップＢ６→Ｂ７）。
【００４８】
すると、前記第２登録画像メモリ１３ｄに記憶されている第２（薬指）の登録指紋画像データＧr2と前記第２照合画像メモリ１３ｅに記憶された第２照合指紋画像データＧs2との類似度が算出されて照合判定処理が行われる（ステップＢ８）。
【００４９】
ここで、前記第２指（薬指）は、例えば使用頻度が少なく経時変化が殆ど生じていないことで、当該第２（薬指）登録指紋画像Ｇr2と第２照合指紋画像Ｇs2との類似度が予め設定された閾値以上となり登録者本人の第２（薬指）指紋として照合合致判定された場合には（ステップＢ９）、前記第１照合画像メモリ１３ｃに記憶されている非合致判定された第１照合指紋画像データＧs1が経時変化した最新の第１登録指紋画像データＧr1として記憶更新される（ステップＢ１０）。
【００５０】
これにより、例えば登録・照合対象の指が高使用頻度の利き指であることにより指紋画像に明らかな経時変化が生じた場合でも、本人拒否により照合困難になることはなく、しかもこの経時変化後の利き指の指紋画像を登録者本人の正しい第１の登録指紋画像Ｇr1として登録更新できるようになる。
【００５１】
一方、前記第１（人差し指）の登録指紋画像Ｇr1と照合指紋画像Ｇs1との非合致判定に続き、この第２（薬指）での登録指紋画像Ｇr2と照合指紋画像Ｇs2との類似度も予め設定された閾値未満となり、非合致判定された場合には（ステップＢ９(No)）、この第２登録指紋画像データＧr2に対する第２照合指紋画像データＧs2との照合に伴う非合致判定の回数ｎもカウント記憶され、予め設定された非合致回数ｎ2に到達したか否か判断される（ステップＢ１１）。
【００５２】
そして、この第２指（薬指）による非合致判定回数ｎも予め設定された非合致回数ｎ2（例えば３回）に到達したと判断された場合には、今回の被照合人物は登録者本人ではないと判定されて前記一連の照合処理は終了される。
【００５３】
したがって、前記構成の指紋画像照合装置における第１実施形態の指紋登録・照合機能によれば、利き指である人差し指の指紋を第１登録指紋画像データＧr1として登録すると共に、薬指の指紋を第２登録指紋画像データＧr2として登録し、被照合人物の第１指（人差し指）の照合指紋画像データＧs1と合致判定された場合には、当該第１照合指紋画像Ｇr1を最新の第１登録指紋画像Ｇr1として登録更新する。そして、前記第１指（人差し指）の登録指紋画像Ｇr1と照合指紋画像Ｇs1とが非合致判定された場合には、第２指（薬指）による登録指紋画像Ｇr2と照合指紋画像Ｇs2との照合処理を行い、この第２指（薬指）による照合で合致判定された場合に、前記第１照合指紋画像Ｇr1を経時変化した最新の第１登録指紋画像Ｇr1として登録更新する。
【００５４】
これにより、例えば登録・照合対象の指が高使用頻度の利き指であることにより指紋画像に明らかな経時変化が生じた場合でも、本人拒否により照合困難になることを防止することができ、しかも経時変化後の利き指の指紋画像を登録者本人の正しい第１登録指紋画像Ｇr1として登録を更新させることができるようになる。
【００５５】
なお、前記第１実施形態の指紋照合処理（図４参照）では、登録指紋画像Ｇrnと照合指紋画像Ｇsnとの非合致回数ｎが予め設定された回数ｎｍに達したことを判断して当該登録：照合指紋画像同士（Ｇrn：Ｇsn）の完全非合致を判定する構成としたが、各回の合致／非合致判定処理には登録指紋画像Ｇrnと照合指紋画像Ｇsnとの類似度だけでなく、指紋画像の読み取り誤差に影響される該指紋画像全体の縦横ずれや回転ずれを考慮し、この縦横ずれや回転ずれが一定量以下であるときの類似度が閾値未満である場合に非合致として判定する構成としてもよい。
【００５６】
また、前記第１実施形態では、第１（人差し指）の登録指紋画像データＧr1に対してその第１照合指紋画像データＧs1が合致判定されるか、またはこれが非合致判定されても第２（薬指）の登録指紋画像データＧr2に対してその第２照合指紋画像データＧs2が合致判定されることで、前記第１照合指紋画像データＧs1を最新の第１登録指紋画像データＧr1として更新登録する構成としたが、前記第２登録指紋画像データＧr2についても第２照合指紋画像データＧs2との合致判定が得られることで、当該第２照合指紋画像データＧs2を最新の第２登録指紋画像データＧr2として更新登録する構成としてもよい。
【００５７】
また、前記第１実施形態では、第１（人差し指）登録指紋画像データＧr1と第２（薬指）登録指紋画像データＧr2との２つの指紋画像を登録画像とし、第１登録指紋画像データＧr1とその照合指紋画像データＧs1が非合致である場合に第２登録指紋画像データＧr2とその照合指紋画像データＧs2との照合判定を行い、これが合致判定された場合に前記第１登録指紋画像データＧr1をそのときの照合指紋画像データＧs1に置き換えて更新記憶する構成としたが、この２つの指紋画像に限らずさらに中指や小指など、３つ以上の指紋部分の画像を第３登録指紋画像データＧr3，第４登録指紋画像データＧr4，…などとして登録し、特定部分である第１登録指紋画像データＧr1とその照合指紋画像データＧs1が非合致である場合に第２以降何れか他の登録指紋画像データＧrnとその照合指紋画像データＧsnとの照合判定を行い、これが合致判定された場合に前記特定部分である第１登録指紋画像データＧr1をそのときの照合指紋画像データＧs1に置き換えて更新記憶する構成としてもよい。
【００５８】
また、前記第１実施形態の指紋登録・照合機能では、第１指（人差し指）の登録指紋画像Ｇr1と予備である第２指（薬指）の登録指紋画像Ｇr2とを予め記憶登録し、第１指（人差し指）による照合指紋画像Ｇs1が経時変化などの影響により照合非合致となった場合には、予備である第２指（薬指）による照合指紋画像Ｇs2との照合処理を行い、本人拒否による誤判定を防止する構成としたが、次の第２実施形態の指紋登録・照合機能において説明するように、第１登録指紋画像Ｇr1の記憶更新は照合指紋画像Ｇsとの類似度が極めて高い場合にのみ行い、当該照合指紋画像Ｇsが合致判定されても例えば若干の指紋変化によりその類似度が余り高くない場合には第１登録指紋画像Ｇr1の記憶更新は行わずにその時点の照合指紋画像Ｇsを第２登録指紋画像Ｇr2として登録する。そして、一時期的な指紋変化により前記第１登録指紋画像Ｇr1に対し照合非合致となる状態では前記第２登録指紋画像Ｇr2に基づいて照合合致判定を得ることで、この指紋変化が元に戻った場合でも再び前記第１登録指紋画像Ｇr1に基づいて合致判定を得ることができる構成としてもよい。
【００５９】
（第２実施形態）
図５は、本発明の第２実施形態の指紋画像照合装置のＲＡＭ２３に確保されるデータメモリを示す図である。
【００６０】
ＲＡＭ２３には、読み取り画像メモリ２３ａ、第１登録画像メモリ２３ｂ、第２登録画像メモリ２３ｃ、照合画像メモリ２３ｄ、照合類似度メモリ２３ｅ、照合結果メモリ２３ｆなどが確保される。
【００６１】
読み取り画像メモリ２３ａには、イメージ読み取り装置１４により読み取られた指紋の画像データが多階調画像として一時記憶される。
【００６２】
第１登録画像メモリ２３ｂには、指紋登録処理（図６参照）に伴い、前記記憶装置１２に格納登録すべきイメージ読み取り装置１４により読み取られた登録者本人の特定の指（例えば人差し指）の指紋画像データが、第１登録指紋画像データＧr1として記憶保持される。
【００６３】
第２登録画像メモリ２３ｃには、指紋照合処理（図７参照）に伴い、前記第１登録指紋画像データＧr1と照合指紋画像データＧsとの合致判定が得られた場合でもその類似度が閾値以上の高類似度ではないと判定された初回において、当該第１登録指紋画像Ｇr1と微少に指紋変化した照合指紋画像Ｇsが第２登録指紋画像データＧr2として追加記憶される。
【００６４】
照合画像メモリ２３ｄには、イメージ読み取り装置１４により読み取られた照合すべき指紋画像データが、照合指紋画像データＧsとして記憶される。
【００６５】
照合類似度メモリ２３ｅには、前記登録指紋画像データ（Ｇr1／Ｇr2）と前記照合指紋画像データ（Ｇs）との各指紋照合処理（図７参照）に伴い算出された登録指紋画像に対する照合指紋画像の類似度が記憶される。
【００６６】
照合結果メモリ２３ｆには、前記登録指紋画像データ（Ｇr1／Ｇr2）と前記照合指紋画像データ（Ｇs）との各指紋照合処理（図７参照）に伴い評価判定される当該登録指紋画（Ｇr1／Ｇr2）と照合指紋画像（Ｇs）との合致／非合致の判定結果が記憶される。
【００６７】
この第２実施形態の指紋画像照合装置では、第１登録指紋画像データＧr1に対し照合指紋画像データＧsが合致判定され、その類似度が閾値以上である場合には、当該照合指紋画像Ｇsを最新の第１登録指紋画像Ｇr1として記憶更新し、また同合致判定されても、環境変化や肌荒れなどに起因した一時期的な指紋変化によりその類似度が閾値未満である場合には、第１登録指紋画像Ｇr1の記憶更新はせずに当該照合指紋画像Ｇsを第２登録指紋画像Ｇr2として追加して記憶する。
【００６８】
そして、前記第１登録指紋画像Ｇr1に対し一時期的な指紋変化が進んだ照合指紋画像Ｇsが非合致判定される状態では、前記指紋変化に起因して追加登録した第２登録指紋画像Ｇr2に基づいて照合判定し本人拒否を防止すると共に、その照合類似度が閾値以上である場合には、当該第２登録指紋画像Ｇr2を照合指紋画像Ｇsに対応させて記憶更新する。
【００６９】
このことにより、前記一時期的な指紋変化が元に戻った場合には、再び前記第１登録指紋画像Ｇr1に基づいて合致判定を得ることができる。
【００７０】
次に、前記構成による指紋画像照合装置における第２実施形態の指紋登録・照合機能についてより詳細に説明する。
【００７１】
（指紋登録処理）
図６は、本発明の第２実施形態の指紋画像照合装置により正規ユーザ本人の指紋画像を登録するための指紋登録処理を示すフローチャートである。
【００７２】
イメージ読み取り装置１４により正規ユーザ本人の特定の指（例えば人差し指）の指紋画像が予め設定された画像データ数だけ読み取られ、ＲＡＭ１３内の読み取り画像メモリ２３ａに記憶されると（ステップＣ１，Ｃ２）、この設定データ数分の読み取り指紋画像データの中から例えば撮像面積や撮像品質が最も良好な読み取り指紋画像が選択され、第１登録画像メモリ２３ｂに対し第１登録指紋画像データＧr1として記憶される（ステップＣ３）。
【００７３】
（指紋照合処理）
図７は、本発明の第２実施形態の指紋画像照合装置による指紋照合処理を示すフローチャートである。
【００７４】
イメージ読み取り装置１４により被照合人物の特定の指（例えば人差し指）の指紋画像が読み取られ、ＲＡＭ２３内の読み取り画像メモリ２３ａに記憶されると、この読み取り画像は照合画像メモリ２３ｄに対し照合指紋画像データＧsとして記憶される（ステップＤ１）。
【００７５】
すると、前記第１登録画像メモリ２３ｂに記憶された第１登録指紋画像データＧr1と前記照合画像メモリ２３ｄに記憶された照合指紋画像データＧsとの類似度が算出されて照合判定処理が行われる（ステップＤ２）。
【００７６】
ここで、前記第１登録指紋画像Ｇr1と照合指紋画像Ｇsとの類似度が所定の類似度以上となり登録者本人の指紋として照合合致判定された場合には（ステップＤ３）、さらに、この照合合致判定された類似度が予め設定された閾値以上の高類似度であるか否か判断される（ステップＤ４）。
【００７７】
そして、前記第１登録指紋画像Ｇr1と照合合致判定された照合指紋画像Ｇsの類似度が予め設定された閾値以上の高類似度であると判断された場合には、そのときの照合指紋画像データＧsが最新の第１登録指紋画像データＧr1として記憶更新される（ステップＤ４→Ｄ５）。
【００７８】
一方、前記ステップＤ１〜Ｄ３において、第１登録指紋画像Ｇr1に対し照合指紋画像Ｇsが所定の類似度以上として合致判定されたものの、当該照合指紋画像Ｇsに例えば環境変化や肌荒れなどに起因した一時期的で微少な指紋変化が生じていることで、前記ステップＤ４において、照合類似度が予め設定された閾値以上ないと判断された場合には、この一時期的で微少な指紋変化が生じている照合指紋画像Ｇsが第２登録画像メモリ１２ｃに対し第２登録指紋画像データＧr2として追加記憶される（ステップＤ６→Ｄ７）。
【００７９】
この後、次回の指紋照合に際し、前記同様にステップＤ１〜Ｄ３において、第１登録指紋画像Ｇr1に対し照合指紋画像Ｇsが所定の類似度以上として合致判定されたものの、当該照合指紋画像Ｇsに一時期的で微少な指紋変化が生じ続けていることで、前記ステップＤ４において、照合類似度が予め設定された閾値以上ないと判断された場合には、前記第２登録画像メモリ２３ｃに追加登録した第２登録指紋画像データＧr2に対して照合指紋画像Ｇsとの照合判定処理が行われる（ステップＤ６→Ｄ８）。そして、この第２登録指紋画像データＧr2に対して照合指紋画像Ｇsが合致判定され（ステップＤ９）、その類似度が閾値以上の高類似度であると判断された場合には（ステップＤ１０）、そのときの照合指紋画像データＧsが一時期的に指紋変化している最新の第２登録指紋画像データＧr2として記憶更新される（ステップＤ１１）。
【００８０】
さらにこの後の指紋照合に際し、例えば登録者本人の一時期的な指紋変化が進んだことで、前記ステップＤ１〜Ｄ３において、第１登録指紋画像Ｇr1に対し照合指紋画像Ｇsが所定の類似度未満として非合致判定された場合には、前記第２登録画像メモリ２３ｃに追加更新されて登録されている第２登録指紋画像データＧr2に対して照合指紋画像Ｇsとの照合判定処理が行われる（ステップＤ１２→Ｄ１３）。そして、登録者本人の一時期的な指紋変化が進んでいても、この第２登録指紋画像データＧr2に対して照合指紋画像Ｇsとの合致判定が得られることで本人拒否による誤判定は防止される（ステップＤ１４）。
【００８１】
なおこの際にも、前記第２登録指紋画像データＧr2に対する照合指紋画像Ｇsの合致判定類似度が閾値以上の高類似度であると判断された場合には（ステップＤ１５）、そのときの照合指紋画像データＧsが一時期的に指紋変化している最新の第２登録指紋画像データＧr2として記憶更新される（ステップＤ１６）。
【００８２】
一方、前記第２登録指紋画像データＧr2に対する照合指紋画像データＧsとの照合判定処理（ステップＤ８／Ｄ１３）において、非合致判定された場合は勿論（ステップＤ９／Ｄ１４(No)）、合致判定された場合でもその合致判定類似度が予め設定された閾値以上の高類似度ではないと判断された場合には（ステップＤ１０／Ｄ１５(No)）、当該第２登録指紋画像データＧr2をそのときの照合指紋画像データＧsとする更新処理は実施されない（ステップＤ１７）。
【００８３】
したがって、前記構成の指紋画像照合装置における第２実施形態の指紋登録・照合機能によれば、第１登録指紋画像データＧr1に対し照合指紋画像データＧsが合致判定され、その類似度が閾値以上である場合には、当該照合指紋画像Ｇsを最新の第１登録指紋画像Ｇr1として記憶更新し、また同合致判定されても、環境変化や肌荒れなどに起因した一時期的な指紋変化によりその類似度が閾値未満である場合には、第１登録指紋画像Ｇr1の記憶更新はせずに当該照合指紋画像Ｇsを第２登録指紋画像Ｇr2として追加記憶する。そして、前記第１登録指紋画像Ｇr1に対し一時期的な指紋変化が進んだ照合指紋画像Ｇsが非合致判定される状態では、前記指紋変化に起因して追加登録した第２登録指紋画像Ｇr2に基づいて照合判定することで本人拒否を防止するのと共に、その照合類似度が閾値以上である場合には、当該第２登録指紋画像Ｇr2を照合指紋画像Ｇsに対応させて記憶更新する。
【００８４】
このため、登録者本人の例えば環境変化や肌荒れなどに起因する一時期的な指紋変化があった場合の本人拒否による誤判定を防止できるだけでなく、当該一時期的な指紋変化が元に戻った場合にも本人拒否されることなく、再び登録者本人本来の第１登録指紋画像Ｇr1に基づいて照合合致判定を得ることができるようになる。
【００８５】
なお、前記各実施形態では、指紋画像を登録・照合対象の画像とした場合について説明したが、例えば虹彩画像や顔画像など、他の生体各部の部分画像を登録・照合対象の画像とした場合でも、前記各実施形態と同様の効果を得ることができる。
【００８６】
前記各実施形態において記載した指紋画像照合装置による各処理の手法、すなわち、図３のフローチャートに示す正規ユーザ本人の指紋画像を登録するための第１実施形態の指紋登録処理、図４のフローチャートに示す第１実施形態の指紋照合処理、図６のフローチャートに示す正規ユーザ本人の指紋画像を登録するための第２実施形態の指紋登録処理、図７のフローチャートに示す第２実施形態の指紋照合処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１８ａに格納して配布することができる。そして、指紋読み取り機能を備えた種々のコンピュータ端末は、この外部記録媒体１８ａに記憶されたプログラムを記憶媒体読取部１８によって記憶装置１２に読み込み、この読み込んだプログラムによって動作が制御されることにより、前記各実施形態において説明した画像登録／照合機能を実現し、前述した手法による同様の処理を実行することができる。
【００８７】
また、前記各手法を実現するためのプログラムのデータは、プログラムコードの形態として通信ネットワーク（インターネット）２０上を伝送させることができ、この通信ネットワーク（インターネット）２０に接続されたコンピュータ端末（プログラムサーバ２１）の記憶装置２２から前記のプログラムデータを取り込み、前述した画像登録／照合機能を実現することもできる。
【００８８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８９】
【図１】本発明の画像照合装置の実施形態に係る指紋画像照合装置の電子回路の構成を示すブロック図。
【図２】本発明の第１実施形態の指紋画像照合装置のＲＡＭ１３に確保されるデータメモリを示す図。
【図３】本発明の第１実施形態の指紋画像照合装置により正規ユーザ本人の指紋画像を登録するための指紋登録処理を示すフローチャート。
【図４】本発明の第１実施形態の指紋画像照合装置による指紋照合処理を示すフローチャート。
【図５】本発明の第２実施形態の指紋画像照合装置のＲＡＭ２３に確保されるデータメモリを示す図。
【図６】本発明の第２実施形態の指紋画像照合装置により正規ユーザ本人の指紋画像を登録するための指紋登録処理を示すフローチャート。
【図７】本発明の第２実施形態の指紋画像照合装置による指紋照合処理を示すフローチャート。
【符号の説明】
【００９０】
１１  …ＣＰＵ
１２  …記憶装置
１３、２３…ＲＡＭ
１３ａ、２３ａ…読み取り画像（Ｇ）メモリ
１３ｂ、２３ｂ…第１登録画像（Ｇr1）メモリ
１３ｃ…第１照合画像（Ｇs1）メモリ
１３ｄ、２３ｃ…第２登録画像（Ｇs2）メモリ
１３ｅ…第２照合画像（Ｇs2）メモリ
１３ｆ、２３ｅ…照合類似度メモリ
１３ｇ、２３ｆ…照合結果メモリ
１３ｈ…非合致回数（ｎ）メモリ
２３ｄ…照合画像（Ｇs）メモリ
１４  …イメージ読み取り装置
１５  …表示部
１６  …入力部
１７  …バス
１８  …記憶媒体読み取り部
１８ａ…外部記憶媒体
１９  …電送制御部
２０  …通信ネットワーク（インターネット）
２１  …プログラムサーバ
２２  …サーバ記憶装置
【図１】
2005258555.tif 000003
【図２】
2005258555.tif 000004
【図３】
2005258555.tif 000005
【図４】
2005258555.tif 000006
【図５】
2005258555.tif 000007
【図６】
2005258555.tif 000008
【図７】
2005258555.tif 000009